(57)【要約】  本発明は、海賊版の作成を防止するため、複製が困難なＢＣＡの記録方法を提供することを目的とする。本発明に係る光ディスクのＢＣＡ記録装置は、光ディスクのＢＣＡに当該光ディスク固有の識別情報を記録するＢＣＡ記録装置であって、上記識別情報を表すＢＣＡマーク信号およびＢＣＡコード信号を生成するＢＣＡデータ生成部と、上記ＢＣＡマーク信号に基づいて、上記光ディスクのＢＣＡの記録膜にマークを記録して当該記録膜の反射率を部分的に変化させることによりＢＣＡマークを作成するＢＣＡマーク生成部と、上記ＢＣＡコード信号に基づいて、上記ＢＣＡの記録膜を部分的に除去することによりＢＣＡコードを作成するＢＣＡコード作成部と、を備えたことものである。
2010098016.tif 000002
【特許請求の範囲】
【請求項１】
光ディスクのＢＣＡに当該光ディスク固有の識別情報を記録するＢＣＡ記録装置であって、
上記識別情報を表すＢＣＡマーク信号およびＢＣＡコード信号を生成するＢＣＡデータ生成部と、
上記ＢＣＡマーク信号に基づいて、上記光ディスクのＢＣＡの記録膜にマークを記録して当該記録膜の反射率を部分的に変化させることによりＢＣＡマークを作成するＢＣＡマーク生成部と、
上記ＢＣＡコード信号に基づいて、上記ＢＣＡの記録膜を部分的に除去することによりＢＣＡコードを作成するＢＣＡコード作成部と、
を備えたことを特徴とするＢＣＡ記録装置。
【請求項２】
上記ＢＣＡマーク生成部は、上記ＢＣＡの記録膜にレーザ光を照射してマークを形成するための第１の光源を有し、
上記ＢＣＡコード生成部は、上記ＢＣＡの記録膜にレーザ光を照射して当該記録膜を除去するための第２の光源を有することを特徴とする請求項１に記載のＢＣＡ記録装置。
【請求項３】
光ディスクのＢＣＡに当該光ディスク固有の識別情報を記録するＢＣＡ記録方法であって、
上記識別情報を表すＢＣＡマーク信号およびＢＣＡコード信号を生成する工程と、
上記ＢＣＡマーク信号に基づいて、上記光ディスクのＢＣＡの記録膜にマークを記録して当該記録膜の反射率を部分的に変化させることによりＢＣＡマークを作成する工程と、
上記ＢＣＡコード信号に基づいて、上記ＢＣＡの記録膜を部分的に除去することによりＢＣＡコードを作成する工程と、
を備えたことを特徴とするＢＣＡ記録方法。
【請求項４】
内周部に固有の識別情報が記録されたＢＣＡを有する記録型光ディスクであって、
上記識別情報は、ＢＣＡの記録膜にマークを記録して反射率を部分的に変化させることにより形成されるＢＣＡマーク、および当該ＢＣＡの記録膜を部分的に除去することにより形成されるＢＣＡコードによって表されることを特徴とする記録型光ディスク。
【請求項５】
上記ＢＣＡの記録膜の反射率、上記ＢＣＡマークにおけるマーク部分の反射率、および記録膜を除去した部分の反射率はそれぞれ異なることを特徴とする請求項４に記載の記録型光ディスク。
【請求項６】
請求項４または５に記載の記録型光ディスクを再生する光ディスク再生装置であって、
上記記録型光ディスクのＢＣＡに照射したレーザ光の反射光を受光し、当該反射光に基づいてＢＣＡ再生信号を生成する光検出器と、
上記ＢＣＡ再生信号から、上記ＢＣＡマークに対応する信号、および上記ＢＣＡコードに対応する信号をそれぞれ独立して検出することにより、上記記録型光ディスク固有の識別情報を検出する再生信号検出部と、
を備えたことを特徴とする光ディスク再生装置。
【請求項７】
上記再生信号検出部は、ＢＣＡマークに対応する信号を検出するための第１の判定レベル、およびＢＣＡコードに対応する信号を検出するための第２の判定レベルを有し、上記ＢＣＡ再生信号を、上記第１および上記第２の判定レベルと比較することにより、上記識別情報を検出することを特徴とする請求項６に記載の光ディスク再生装置。
【請求項８】
請求項４または５に記載の記録型光ディスクを再生する光ディスク再生方法であって、
上記記録型光ディスクのＢＣＡに照射したレーザ光の反射光を受光し、当該反射光に基づいてＢＣＡ再生信号を生成する工程と、
上記ＢＣＡ再生信号から、上記ＢＣＡマークに対応する信号、および上記ＢＣＡコードに対応する信号をそれぞれ独立して検出することにより、上記記録型光ディスク固有の識別情報を検出する工程と、
を備えたことを特徴とする光ディスク再生方法。
【請求項９】
ＢＣＡマークに対応する信号を検出するための第１の判定レベル、およびＢＣＡコードに対応する信号を検出するための第２の判定レベルを設定し、上記ＢＣＡ再生信号を、上記第１および上記第２の判定レベルと比較することにより、上記識別情報を検出することを特徴とする請求項８に記載の光ディスク再生方法。
【発明の詳細な説明】
【技術分野】
【０００１】
本発明は、映像や音声のコンテンツデータを記録するための光ディスクに関するものであり、特に、記録型光ディスクの内周に設けられるＢＣＡの記録装置等に関する。
【背景技術】
【０００２】
映像コンテンツを収録した情報記録媒体では、コンテンツ提供者の著作権を保護するため、コンテンツの不正な複製や不正な利用を防止する仕組みが求められる。そのため、ＤＶＤではディスク固有のＩＤ番号を記録し、当該ＩＤ番号を使ってコンテンツデータを暗号化する技術が適用されている。【０００３】
ディスク固有のＩＤ番号を記録する方法として、再生専用のＲＯＭディスク内周側にバーコードを配置する領域を設け、完成したＲＯＭディスクに対してレーザトリミングによって反射膜の一部を除去し、バーコードを形成する技術が提案されている（特許文献１参照）。このバーコードが形成された領域はＢＣＡ（Burst Cutting Area）と呼ばれる。このＢＣＡの不正な複製を防止するため、ＢＣＡを形成する各マークの位置を許容範囲内で変化させてシークレット情報を埋め込む技術や（特許文献２参照）、ディスクを変性させてＢＣＡの記録を不可能にする技術（特許文献３参照）が考案されている。【０００４】
近年、ネットワークを介してコンテンツを配信し、ユーザ側で記録型光ディスクに受信したコンテンツを記録する方式が実用化されている。ここで利用される記録型光ディスクにおいても、ＢＣＡを利用してディスク固有のＩＤ番号が記録され、受信したコンテンツデータは、ディスク固有のＩＤ番号を使って暗号化してからディスクに記録される。これにより、記録後にディスクに書かれたコンテンツデータをそのまま別のディスクにコピーしても、ＩＤ番号の異なるディスクでは暗号が正しく復号できないため、不正に複製されたディスクの再生を防止することができる。【０００５】
しかし、ＢＣＡの記録が容易であれば、ＢＣＡがコピーされるリスクが残る。ＢＣＡが複製されると、コンテンツデータがビット対ビットでコピーされた場合に、複製されたＢＣＡに記録されたＩＤ番号によって正常な再生が可能になる。したがって、ＢＣＡの複製が容易に可能な場合、例えば、ユーザデータ記録用の光ヘッドを用いて可能な場合、海賊版の製造が容易となるリスクが高い。不正に複製された海賊版ディスクは、元のディスクと全く同一内容のクローンディスクになるため、正規に書込まれた本物と見分けがつかず、著作権保護技術によって再生を防止することができない。【０００６】
海賊版の製造を防止するため、ＢＣＡの記録が困難な特殊な装置を適用することが考えられる。こうした特殊な装置は、再生専用型光ディスクと同様に、高出力のレーザトリミングによって記録膜の一部を除去する。しかし、このように、記録膜の一部を除去することによってＢＣＡに識別情報を記録するようにしても、ＢＣＡの記録マークで反射率が低下する反射率低下型の記録膜を使用した記録型光ディスクでは、記録マーク部分でも反射率が低下する。図６は反射率低下型の記録膜を使用した記録型光ディスクのＢＣＡの反射率分布を示す図である。この場合、記録マーク、及び記録膜を除去した部分の反射率がともに低下するので、再生信号レベルによって、記録マークと記録膜を除去した部分の判別ができない。このため、記録マークによって、記録膜を除去して形成したＢＣＡパターンを模することが可能であり、海賊版の製造を防ぐことは困難であった。
【先行技術文献】
【特許文献】
【０００７】
【特許文献１】特開２００６−２９４２４７号公報
【特許文献２】特開２００５−２２８４３７号公報
【特許文献３】特開２００２−１３３７２６号公報
【発明の開示】
【発明が解決しようとする課題】
【０００８】
本発明は、海賊版の作成を防止するため、複製が困難なＢＣＡの記録方法を提供することを目的とする。
【課題を解決するための手段】
【０００９】
本発明に係る光ディスクのＢＣＡ記録装置は、光ディスクのＢＣＡに当該光ディスク固有の識別情報を記録するＢＣＡ記録装置であって、
上記識別情報を表すＢＣＡマーク信号およびＢＣＡコード信号を生成するＢＣＡデータ生成部と、
上記ＢＣＡマーク信号に基づいて、上記光ディスクのＢＣＡの記録膜にマークを記録して当該記録膜の反射率を部分的に変化させることによりＢＣＡマークを作成するＢＣＡマーク生成部と、
上記ＢＣＡコード信号に基づいて、上記ＢＣＡの記録膜を部分的に除去することによりＢＣＡコードを作成するＢＣＡコード作成部と、を備えたことものである。
【発明の効果】
【００１０】
本発明に係る光ディスクのＢＣＡ記録装置は、ＢＣＡの記録膜の反射率を部分的に変化させることにより形成されるＢＣＡマークと、ＢＣＡの記録膜を部分的に除去することにより形成されるＢＣＡコードによって光ディスク固有の識別情報をＢＣＡに記録するので、ＢＣＡの複製が困難となり、海賊版等の不正な複製ディスクの製造を防止することができる。
【図面の簡単な説明】
【００１１】
【図１】本発明の一実施形態に係るＢＣＡ記録装置の構成を示す図である。
【図２】本発明の一実施形態に係る記録型光ディスクにおけるＢＣＡの反射率分布の一例を示す図である。
【図３】本発明の一実施形態に係る記録型光ディスクの再生装置の構成を示す図である。
【図４】本発明の一実施形態に係る記録型光ディスクにおけるＢＣＡの再生信号を示す図である。
【図５】本発明の一実施形態に係るＢＣＡマークとＢＣＡコードの配置方式について説明するための図である。
【図６】反射率低下型の記録膜を用いた記録型光ディスクにおけるＢＣＡの反射率分布の一例を示す図である。
【符号の説明】
【００１２】
１  記録型光ディスク、２  データ領域、３  ＢＣＡ、１１  ＢＣＡデータ生成手段、１２  ＢＣＡマーク信号、１３  ＢＣＡコード信号、１４  ＢＣＡ再生信号、１５  ＢＣＡ再生データ信号、２０  ＢＣＡマーク記録手段、２１  第１の記録信号変調手段、２２  第１の光ヘッド、２３  第１のレーザ光源、２４  第１の光学系、２５  第１の光ビーム、３０  ＢＣＡコード記録手段、３１  第２の記録信号変調手段、３２  第２の光ヘッド、３３  第２のレーザ光源、３４  第２の光学系、３５  第２の光ビーム、４０  ＢＣＡ再生手段、４１  第３の光ヘッド、４３  第３のレーザ光源、４４  第３の光学系、４５  第３の光ビーム、４６  光検出器、４７  再生信号検出手段、４８  ＢＣＡデータ判定手段、
【発明を実施するための形態】
【００１３】
実施の形態１
図１に、本発明に係るＢＣＡ記録装置の一実施形態を示す。図１に示すＢＣＡ記録装置は、記録型光ディスク１を図示しないディスクモータによって回転させ、ディスク固有の識別情報をＢＣＡ３に書込む。記録型光ディスク１のＢＣＡ３は、データ領域２よりも内側の最内周部に円環状に配置される。
【００１４】
本実施の形態に係る記録型光ディスク１の記録膜は、記録マーク部分の反射率が上昇する反射率上昇型の材料を使用する。ＢＣＡ３に適切な記録パワーでマークを書込むと、そのマーク部分を再生する時の反射光強度は記録前、すなわち未記録部分よりも増大する。ここで、ＢＣＡ３に書込まれたマーク部分をＢＣＡマークと称する。また、ＢＣＡ３に一定以上の過大な記録パワーを照射すると、記録膜が焼き取られて反射率が低下し、その部分を再生する時の反射光強度は記録する前よりも低下する。こうしてＢＣＡ３に書込まれた部分をＢＣＡコードと称する。記録膜を焼き取るには、通常のデータの記録を行うレーザパワーに比べて多大なパワーを要するので、専用の高出力のレーザ光源を備えた光ヘッドを用いる。
【００１５】
このように、ＢＣＡマークとＢＣＡコードとを組み合わせてＢＣＡ３の反射率を変調することで、その反射率変調パターンによって、ディスク固有の識別情報を表現することができる。ＢＣＡ３は幅１ｍｍ程度の円環形状を有し、ＢＣＡマークおよびＢＣＡコードの各々の部分は、ディスクの径方向に放射状に伸びる直線、または、細い扇形の形状を有する。
【００１６】
上記の通り、本発明に係るＢＣＡ記録装置においては、ディスク固有の識別情報を、ＢＣＡマークとＢＣＡコードによって表現する。ＢＣＡデータ生成手段１１は、各ディスクについて、ＢＣＡマークとＢＣＡコードによって表されるディスク固有の識別情報に対応するＢＣＡデータを生成する。当該識別情報は、記録型光ディスク１をディスク毎に判別可能とするもので、ディスク固有の番号、製造者や製造所を示す番号、流通者や流通経路を示す番号、記録するコンテンツの提供者やコンテンツの内容に関わる情報等を含んで構成される。
【００１７】
ＢＣＡデータ生成手段１１は、ＢＣＡデータに基づいて、ＢＣＡマークを記録するためのＢＣＡマーク信号１２をＢＣＡマーク記録手段２０に出力し、ＢＣＡコードを記録するためのＢＣＡコード信号１３をＢＣＡコード記録手段３０に出力する。
【００１８】
ＢＣＡマーク記録手段２０の第１の記録信号変調手段２１は、ＢＣＡマーク信号１２を受けて、ＢＣＡ３にＢＣＡマークを書込むための記録パワーを制御する信号を生成し、第１の光ヘッド２２に出力する。第１の光ヘッド２２は、入力された制御信号に基づいて、第１のレーザ光源２３の出力パワーを制御する。レーザ光源２３の出力光は、第１の光学系２４を介して記録型光ディスク１上に集光される。
【００１９】
同様に、ＢＣＡコード記録手段３０の第２の記録信号変調手段３１はＢＣＡコード信号１３を受けて、ＢＣＡ３にＢＣＡコードを書込むための記録パワーを制御する信号を生成し、第２の光ヘッド３２に出力する。第２の光ヘッド３２は、入力された制御信号に基づいて、第２のレーザ光源３３の出力パワーを制御する。レーザ光源３３の出力光は、第２の光学系３４を介して記録型光ディスク１上に集光される。
【００２０】
なお、図１に示すＢＣＡ記録装置においては、ＢＣＡマーク記録手段２０とＢＣＡコード記録手段３０を、記録型光ディスク１の上で対向するよう配置しているが、実際の配置はこれに限るものではない。
【００２１】
図２は、図１に示すＢＣＡ記録装置によって記録されるＢＣＡ３の反射率分布の一例を示す図である。図２（ａ）および（ｂ）は反射率上昇型の記録膜を使用した記録型ディスクに記録したＢＣＡマークおよびＢＣＡコードの反射率分布をそれぞれ示している。図２（ｃ）はＢＣＡマークとＢＣＡコードを用いて記録されたＢＣＡ３の反射率分布であり、ディスク固有の識別情報を示している。
【００２２】
反射率上昇型の記録膜の場合、図２（ａ）に示すように、記録マークを形成するＢＣＡマークの部分は、反射率が上昇するので反射光強度は高くなる。一方、図２（ｂ）に示すように、記録膜を焼き取るＢＣＡコードの部分は、反射率が低下するので反射光強度は低くなる。したがって、再生信号レベルから、ＢＣＡマークおよびＢＣＡコードを判別することができる。すなわち、再生装置において、図２（ｃ）に示すように、ＢＣＡマークおよびＢＣＡコードを用いて記録された識別情報を判別することができる。
【００２３】
図２（ｃ）に示すように、本発明に係るＢＣＡ記録装置は、未記録部分より反射率が上昇するＢＣＡマークと、未記録部分より反射率が低下するＢＣＡコードとを用いてディスク固有の識別情報を表す。したがって、記録膜を焼き取って形成したＢＣＡを、反射率低下型の記録膜を用いたディスクにおいて、記録マークにより摸することが不可能となる。したがって、ＢＣＡの複製が困難となり、不正な複製ディスクの製造を防止することが可能となる。
【００２４】
以上において説明したＢＣＡ記録装置は、マーク部分の反射率が上昇する反射率上昇型の記録型ディスクに対し、ＢＣＡの記録を行う。しかし、マーク部分の反射率と、記録膜を除去して反射率を低下させた部分の反射率とが明確に識別できるのであれば、反射率低下型の記録型光ディスクに対し、本発明に係るＢＣＡ記録装置を適用することも可能である。すなわち、マーク部分の反射率よりも記録膜を除去して反射率を低下させた部分の反射率の方が低い場合、あるいは高い場合であって、これらの反射率の差が判別できる場合である。
【００２５】
また、ＢＣＡコードとＢＣＡマークを用いてＢＣＡの記録を行うことにより、従来に比べて飛躍的に大容量のデータをＢＣＡに収録することが可能になる。これにより、ディスクの識別情報のサイズを大幅に増加させることも可能となる。こうしたデータ量の大きい識別情報は、ＢＣＡの不正複製防止以外の用途に適用することができる。
【００２６】
実施の形態２
図３は、実施の形態１に係るＢＣＡ記録装置によってＢＣＡが記録された記録型光ディスク１を再生する再生装置の構成を示す図である。図３に示す再生装置は、記録型光ディスク１を図示しないディスクモータによって回転し、ＢＣＡ再生手段４０に設けられる第３の光ヘッド４１をＢＣＡ３にアクセスし、ＢＣＡ３に記録された情報を再生する。
【００２７】
第３の光ヘッド４１は、第３のレーザ光源４３が出力した再生用のレーザ光を第３の光学系４４によって記録型光ディスク１のＢＣＡ３上に集光し、反射光を第３の光学系４４を介して光検出器４６で受光する。光検出器４６により検出されたＢＣＡ再生信号１４は再生信号検出手段４７に送られる。再生信号検出手段４７は、ＢＣＡ再生信号１５からＢＣＡマークとＢＣＡコードを判別して、ＢＣＡデータ信号１５を生成する。ＢＣＡデータ信号１５は、ＢＣＡマークとＢＣＡコードからなるディスク固有の識別情報を表すＢＣＡデータの再生信号であり、ＢＣＡデータ判定手段４８に送られる。
【００２８】
再生信号検出手段４７は、ＢＣＡ再生データ信号１４からディスク固有の識別情報を検出する。また、ＢＣＡデータ判定手段４８は、検出された識別情報が正規の識別情報であると判定した場合に限り、記録型光ディスク１の再生等を続ける。このように、光ディスクが正規版ディスクか海賊版ディスクかの識別を行い、不正な複製ディスクの場合は再生を禁止することにより、コンテンツの著作権を実効的に保護することができる。
【００２９】
図４に、本発明に係るＢＣＡ記録装置によって記録されたＢＣＡ再生信号を示す。図４に示すＢＣＡ再生信号は再生信号検出手段４７に入力される。図４において、ＩｍはＢＣＡマーク記録部の反射光強度、Ｉｓは未記録部の反射光強度、ＩｃはＢＣＡコード記録部の反射光強度である。反射光強度はＩｍが最も高く、Ｉｃが最も低く、Ｉｓがこれらの中間となる。
【００３０】
再生信号検出手段４７は、図４に示すように、ＢＣＡマークおよびＢＣＡコードをそれぞれ検出するための２つの判定レベルＩ＋およびＩ−を設定し、再生信号レベルがＩ＋以上の部分をＢＣＡマーク、Ｉ−以下の部分をＢＣＡコード、Ｉ−以上かつＩ＋以下の部分を未記録部と判定する。これにより、ＢＣＡマークとＢＣＡコードをそれぞれ独立して判別することで、ディスク固有の識別情報を正確に検出することができる。
【００３１】
実施の形態３
本発明に係るＢＣＡ記録装置を用いてＢＣＡを記録した記録型光ディスクを再生する場合、ＢＣＡマークとＢＣＡコードを正確に判別する必要がある。ＢＣＡマークとＢＣＡコードが正確に判別できなければ、ディスク固有の識別情報を検出することができず、当該光ディスクに記録されたコンテンツを再生することができない。特に、ＢＣＡコードは記録膜を除去して形成するため、ＢＣＡコードを形成した部分にＢＣＡマークを重ね書きすることはできない。したがって、ＢＣＡマークとＢＣＡコードは、再生時に誤判定のないような位置関係で配置される必要がある。
【００３２】
ＢＣＡコードは高出力のレーザ光源で記録膜を除去することにより記録するので、ＢＣＡコードの記録密度は、記録マークを用いたデータ記録の記録密度より低い。例えば、ＤＶＤにおいて、通常、最小の記録マーク長は約０．４μｍであるのに対し、ＢＣＡコードの長さは約１０μｍであり、ＢＣＡコードの長さは記録マーク長のおよそ２５倍である。この関係は、ブルーレイディスクにおいても大きく変わらない。このように、記録マークにより形成されるＢＣＡマークは通常のデータと同様の高密度記録が可能である。
【００３３】
上述のＢＣＡマークおよびＢＣＡコードの特性を考慮した、両者の配置方式について以下に説明する。図５は、ＢＣＡマークとＢＣＡコードの配置方式について説明するための図である。図５において、ＢＣＡコードの符号化方式は位相変調方式を適用している。ここで、ＢＣＡコードの最小単位長はＢＣＡコード１ビット分の情報を示し、「０」を示す単位セルではセル中央で反射率が低下し、「１」を示す単位セルではセルの中央で反射率が上昇する。すなわち、「０」を示す単位セルにおいては、後半部分において記録膜が除去され、「１」を示す単位セルにおいては、後半部分において記録膜が除去される。図５に示すＢＣＡコードは、「１」、「０」、「０」、「１」のビットを表しており、このＢＣＡコードにＢＣＡマークが重ね書される。
【００３４】
図５において、ＢＣＡマークの符号化方式はレベル変調方式を適用している。ここで、ＢＣＡマークの最小単位長はＢＣＡマーク１ビット分の情報を示し、所定数のＢＣＡマークのビットをＢＣＡマークの情報単位とする。図５に示す例では、ＢＣＡマークの情報単位は、２０ビットのＢＣＡマークから構成される。同図に示すように、「０」を示すＢＣＡマークの反射率レベルはＩｓ、「１」を示すＢＣＡマークの反射率レベルはＩｍとなるよう、ビットの値と反射率レベルを対応させる。図５において、最初のＢＣＡマークの情報単位は、「１０００１１１０１１００１００１０１１０」のビット値を示している。
【００３５】
図５に示すＢＣＡコードの位相変調方式では、記録膜が存在する反射率レベルがＩｓの部分と、記録膜を除去した反射率レベルがＩｃの部分の比率が、常に５０％となる。すなわち、単位セルの前半・後半のいずれか一方に記録膜が存在する。これは、記録膜を除去して反射率を低下させた部分の比率が過大になると反射光量が不足し、光ディスクを再生するための光ビームのスポットをディスク面上にサーボ制御し続けることが困難になるためである。したがって、位相変調方式以外の他の変調方式を適用する場合にも、所定の反射光量を確保できるよう反射率レベルの比率を調整する必要がある。
【００３６】
図５に示すように、ＢＣＡマークは、ＢＣＡコードの単位セルに一致させて、ＢＣＡマークの情報単位を２回繰り返し記録するようにした。これにより、単位セルの前半・後半のいずれか一方にＢＣＡマークの情報単位の全体を確実に記録することができる。この際、ＢＣＡコードの記録膜が除去された部分にＢＣＡマークが重ねて記録されることを避けるため、ＢＣＡマークの各情報単位の前後に必要なマージンを設けてもよい。
【００３７】
実施の形態１において説明したＢＣＡ記録装置は、記録型ディスク１を低速で回転しながら、ＢＣＡマークおよびＢＣＡコードとする各々の部分に記録用の光ビームをディスク半径方向に走査することにより、ＢＣＡ３にＢＣＡデータを記録する。記録型光ディスク１のＢＣＡ３の記録面は平坦なミラー面になっており、ユーザデータ領域に設けられる記録トラック構造を有していない。このため、ＢＣＡ記録においては、ディスク面に照射される光ビームスポット位置の制御精度は、ディスクを回転させるモータ等の機構の精度、光ヘッドをディスク半径方向に送る機構の精度、および光ヘッドの光学系による光ビーム集光位置制御の精度に依存する。したがって、ＢＣＡマークとＢＣＡコードの配置、特に、ＢＣＡマークの各情報単位の前後に必要なマージンの長さは、こうしたＢＣＡ記録装置の精度を考慮して設計する。
【００３８】
以上のようにＢＣＡマークとＢＣＡコードを配置することにより、ＢＣＡマークとＢＣＡコードの各々のビット情報を確実に記録し、再生することができる。ここでは、ＢＣＡマークの符号化方式としてレベル変調方式を適用したが、ＮＲＺＩ変調方式を適用してもよい。また、ＢＣＡマークとＢＣＡコードの記録順序として、ＢＣＡコードを先に記録するものと説明したが、ＢＣＡマーク記録手段２０とＢＣＡコード記録手段３０の制御特性に応じて、ＢＣＡマークを先に書くようにしてもよい。ＢＣＡマークとＢＣＡコードのどちらを先に記録するかは、装置の特性に応じ、適宜選択すればよい。
【００３９】
さらに、ＢＣＡマークをより高密度に記録するために、ＢＣＡ記録面にトラック構造を設け、ユーザデータの記録と同様に、ＢＣＡマーク記録用の光ビームスポットをトラック上に走査させてＢＣＡマークを記録するようにしてもよい。この場合、トラックに記録されるＢＣＡマークの位置を半径方向で揃える必要があるため、トラックの周方向に精密な位置情報を示す構造を配置する。この場合は、ＢＣＡコードの記録によりトラック構造の検出ができなくなる前に、ＢＣＡマークを先に記録する。
【図１】
2010098016.tif 000003
【図２】
2010098016.tif 000004
【図３】
2010098016.tif 000005
【図４】
2010098016.tif 000006
【図５】
2010098016.tif 000007
【図６】
2010098016.tif 000008
【国際調査報告】
2010098016.tif 000009
2010098016.tif 000010
2010098016.tif 000011
2010098016.tif 000012